(57)【要約】【課題】 手荷物が金属性であったり、手荷物に金属を内蔵している場であっても、手荷物に添付された手荷物用ＲＦＩＤタグに対して、タグリーダライタによる読み取り処理や書き込み処理が確実に行えるようにした手荷物用ＲＦＩＤタグの通信方法を提供する。【解決手段】 ループ状にして垂れ下げた状態で手荷物に取り付けることが可能な形状を有する基材シートと、前記基材シートに設けられた、ＩＣチップと通信用アンテナとを含む非接触型ＩＣモジュールとからなる手荷物用ＲＦＩＤタグの通信方法であって、手荷物にループ状に垂れ下げられた手荷物用ＲＦＩＤタグに対して、タグリーダライタにより、手荷物用ＲＦＩＤタグに記憶されている情報の読み取り処理、又は前記手荷物用ＲＦＩＤタグへの情報の書き込み処理を行う際に、前記手荷物の側面からループ状に垂れ下げられた手荷物用ＲＦＩＤタグの端部側を舞い上げて手荷物から遠ざける処理を行う。【選択図】        図３
2008299765.tif 000002
【特許請求の範囲】
【請求項１】
ループ状にして垂れ下げた状態で手荷物に取り付けることが可能な形状を有する基材シートと、前記基材シートに設けられた、ＩＣチップと通信用アンテナとを含む非接触型ＩＣモジュールとからなる手荷物用ＲＦＩＤタグの通信方法であって、
手荷物にループ状に垂れ下げられた手荷物用ＲＦＩＤタグに対して、タグリーダライタにより、手荷物用ＲＦＩＤタグに記憶されている情報の読み取り処理、又は前記手荷物用ＲＦＩＤタグへの情報の書き込み処理を行う際に、前記手荷物の側面からループ状に垂れ下げられた手荷物用ＲＦＩＤタグの端部側を舞い上げて手荷物から遠ざける処理を行うことを特徴とする手荷物用ＲＦＩＤタグの通信方法。
【請求項２】
前記舞い上げて手荷物から遠ざける処理が、手荷物用ＲＦＩＤタグに対して、下方から送風する処理であることを特徴とする請求項１記載の手荷物用ＲＦＩＤタグの通信方法。
【請求項３】
前記舞い上げて手荷物から遠ざける処理が、手荷物用ＲＦＩＤタグに対して、上方から空気を吸い上げる処理であることを特徴とする請求項１記載の手荷物用ＲＦＩＤタグの通信方法。
【請求項４】
前記舞い上げて手荷物から遠ざける処理が、手荷物用ＲＦＩＤタグが添付された手荷物を所定の位置で検知されたことを条件に実施されることを特徴とする請求項１記載の手荷物用ＲＦＩＤタグの通信方法。
【発明の詳細な説明】
【技術分野】
【０００１】
本発明は、ループ状にして垂れ下げた状態で手荷物に取り付けることが可能な形状を有する基材シートと、前記基材シートに設けられた、ＩＣチップと通信用アンテナとを含む非接触型ＩＣモジュールとからなる手荷物用ＲＦＩＤタグの通信方法に関する。
【背景技術】
【０００２】
従来、空港における搭乗者の手荷物管理として、手荷物の取っ手などにループ状に巻き付けて使用するバッゲージタグが使用されている。
これらのバッゲージタグには、予めバーコードなどの機械読取コードが表示されて、搭乗手続きなどの際に、リーダライタで機械読取コードの読み取り処理を行ったりして、手荷物情報の管理を効率的に行えるようにシステム化されている。
【０００３】
また、近年では、機械読取コードを表示する換わりに、ＩＣチップと通信用アンテナとを含む非接触型ＩＣモジュールを備えたバッゲージタグ、つまり手荷物用ＲＦＩＤタグが開発され、公知となっている。（例えば、特許文献１、２、参照）
【０００４】
【特許文献１】特開２００２−３６２７３０号
【特許文献２】特開２００３−２８８５７２号
【０００５】
これらの手荷物用ＲＦＩＤタグを使用した場合には、空港の係員により手荷物の取っ手に手荷物用ＲＦＩＤタグをループ状に巻き付け、ベルトコンベア上に載せるなどして搬送させて、所定の場所に設置したタグリーダライタを用いて、無線により非接触で読み取り処理や書き込み処理を行うことになる。
しかしながら、手荷物用ＲＦＩＤタグをループ状に巻き付けた手荷物が、金属性の手荷物であったり、また、手荷物に金属を内蔵している場合には、これらの金属の影響でタグリーダライタから送信される電波が手荷物用ＲＦＩＤタグで受信できなかったり、正確な情報の読み取りや、書き込み処理を行えない場合が生じるという問題がある。
例えば、手荷物に添付された手荷物用ＲＦＩＤタグが、手荷物に密着された状態におかれた場合には、タグリーダライタによる読み取りや書き込み処理が正確にできないこともあるという問題がある。
【発明の開示】
【発明が解決しようとする課題】
【０００６】
そこで、本発明は、手荷物が金属性であったり、また手荷物に金属を内蔵している場であっても、手荷物に添付された手荷物用ＲＦＩＤタグに対して、タグリーダライタによる読み取り処理や書き込み処理が確実に行えるようにした手荷物用ＲＦＩＤタグの通信方法を提供する。
【課題を解決するための手段】
【０００７】
本発明の手荷物用ＲＦＩＤタグの通信方法は、ループ状にして垂れ下げた状態で手荷物に取り付けることが可能な形状を有する基材シートと、前記基材シートに設けられた、ＩＣチップと通信用アンテナとを含む非接触型ＩＣモジュールとからなる手荷物用ＲＦＩＤタグの通信方法であって、手荷物にループ状に垂れ下げられた手荷物用ＲＦＩＤタグに対して、タグリーダライタにより、手荷物用ＲＦＩＤタグに記憶されている情報の読み取り処理、又は前記手荷物用ＲＦＩＤタグへの情報の書き込み処理を行う際に、前記手荷物の側面からループ状に垂れ下げられた手荷物用ＲＦＩＤタグの端部側を舞い上げて手荷物から遠ざける処理を行うことを特徴とする。
【０００８】
また、本発明の手荷物用ＲＦＩＤタグの通信方法は、前記舞い上げて手荷物から遠ざける処理が、手荷物用ＲＦＩＤタグに対して、下方から送風する処理であることを特徴とする。
【０００９】
更に、本発明の手荷物用ＲＦＩＤタグの通信方法は、前記舞い上げて手荷物から遠ざける処理が、手荷物用ＲＦＩＤタグに対して、上方から空気を吸い上げる処理であることを特徴とする。
【００１０】
また、本発明の手荷物用ＲＦＩＤタグの通信方法は、前記舞い上げて手荷物から遠ざける処理が、手荷物用ＲＦＩＤタグが添付された手荷物を所定の位置で検知されたことを条件に実施されることを特徴とする。
【発明の効果】
【００１１】
本発明の手荷物用ＲＦＩＤタグの通信方法は、手荷物用ＲＦＩＤタグが手荷物に対して、ループ状にして垂れ下げられた状態で、たとえ手荷物に密着された状態であっても、タグリーダライタにより、手荷物用ＲＦＩＤタグに記憶されている情報の読み取り処理、又は前記手荷物用ＲＦＩＤタグへの情報の書き込み処理を行う際に、手荷物から手荷物用ＲＦＩＤタグが舞い上げて遠ざけることができるので、確実にそれらの処理を行えるという効果がある。
【発明を実施するための最良の形態】
【００１２】
以下、本発明の実施形態に手荷物用ＲＦＩＤタグの通信方法を、図面に基づいて詳細に説明する。
図１には、実施形態に係る手荷物用ＲＦＩＤタグの通信方法に使用される手荷物用ＲＦＩＤタグの斜視図が示されている。
手荷物用ＲＦＩＤタグ１は、ループ状にして垂れ下げた状態で手荷物に取り付けることが可能な矩形形状を有する基材シート２に、ＩＣチップ３と通信用アンテナ４とを含む非接触型ＩＣモジュールを有するインレット５が設けられた構造からなり、基材シート２の両端側には、それぞれ粘着剤層６が設けられ、その粘着剤層６上には剥離紙７が剥離可能に貼付されている。
【００１３】
図２には、実施形態に係る手荷物用ＲＦＩＤタグの通信方法に使用される手荷物用ＲＦＩＤタグを、手荷物８に添付させた状態が示されている。
手荷物用ＲＦＩＤタグを、手荷物８に添付する方法としては、例えば、手荷物８の取っ手８ａに手荷物用ＲＦＩＤタグ１の基材シート２を巻きつけて、剥離紙７を取り除いて粘着剤層６同士を接着させることで、手荷物８の取っ手８ａにループ状にして垂れ下げた状態で添付させる。
例えば、飛行場のターミナルにおいては、通常、手荷物８を取り扱う係員９が手荷物用ＲＦＩＤタグの添付作業を行い、手荷物用ＲＦＩＤタグを添付させた手荷物８は、係員９によりベルトコンベアー１０に載せられて所定の場所に搬送される。
【００１４】
図３には、実施形態に係る手荷物用ＲＦＩＤタグの通信方法において、手荷物用ＲＦＩＤタグを添付させた手荷物８を、ベルトコンベアー１０に載せて処理するシステムの構成概要が示されている。
ベルトコンベアー１０は、一定方向に回転して手荷物８は搬送させ、また、必要に応じて、他のベルトコンベアー１０ａに手荷物８を移動させるなどして、手荷物８毎に搬送先を変えることもできるようにしてある。
【００１５】
ベルトコンベアー１０の所定位置には、手荷物用ＲＦＩＤタグ１用のリーダライタ１１が備えられている。
このリーダライタ１１は、ベルトコンベアー１０に載せられて搬送されてきた手荷物８に添付されている手荷物用ＲＦＩＤタグ１に対して、無線により情報の読み取りや、書き込み処理を行う機能を有している。
また、リーダライタ１１が備えられた位置よりも、ベルトコンベアー１０の移動方向の手前側には、手荷物８が通過したことを検知するセンサー１２が備えられている。
【００１６】
また、リーダライタ１１が備えられた位置を含む周辺には、ベルトコンベアー１０に載せられている手荷物８に対して、その下側から上方に向かって風を送る送風装置１３と、空気を吸引する吸引装置１４とが備えられている。
そして、リーダライタ１１と、センサー１２と、送風装置１３と、吸引装置１４とは、管理装置１５に通信可能に接続されている。
この管理装置１５は、センサー１２で手荷物８を検知した情報を受信すると、送風装置１３と吸引装置１４に対して、指示信号を送信して、送風装置１３により送風を行わせ、また、吸引装置１４により吸引を行わせる。
【００１７】
尚、図３では、ベルトコンベアー１０に、送風装置１３と吸引装置１４とを備えた場合の構成を示しているが、送風装置１３又は吸引装置１４の一方だけを備えるようにしてもよい。
また、送風装置１３をベルトコンベアー１０の両側面にそれぞれ設けたり、また、吸引装置１４をベルトコンベアー１０の両側面にそれぞれ設けるようにしてもよい。
【００１８】
次に、図４乃至図６に基づいて、ベルトコンベアー１０に載せられて搬送されている手荷物８について、リーダライタ１１により、その手荷物８に添付されている手荷物用ＲＦＩＤタグ１に記憶されている情報の読み取りや、情報の書き込みを行う際の処理方法について説明する。
まず、図４には、ベルトコンベアー１０に載せられて搬送されている手荷物８について、センサー１２が備えられている位置を通過する前段階の手荷物用ＲＦＩＤタグ１の状態が示されている。
この段階では、手荷物８の取っ手８ａに対して、ループ状に添付された手荷物用ＲＦＩＤタグ１は、手荷物８の側面に対して接触する状態で垂れ下がっている。
もしも、この状態のままで、リーダライタ１１が備えられた位置を通過したとすると、手荷物８が金属性であった場合に、リーダライタ１１による手荷物用ＲＦＩＤタグ１との通信が不完全となる危険性がある。
【００１９】
そして、ベルトコンベアー１０に載せられた手荷物８が、搬送されてセンサー１２が備えられた位置を通過し、センサー１２で手荷物８を検知すると、センサー１２が手荷物８を検知したことを示す信号が管理装置１５に送信され、更に管理装置１５から送風装置１３及び吸引装置１４に対して、送風及び吸引を行われるための指示信号が送信される。
送風装置１３及び吸引装置１４は、管理装置１５からの指示信号を受信した後、ベルトコンベアー１０に載せられた手荷物８に対して、送風及び吸引を行う。
図５には、送風装置１３からの送風１６を受けた手荷物８に対して、ループ状に添付された手荷物用ＲＦＩＤタグ１が、下方から送風を受けることで舞い上げられて、手荷物８の側面から遠ざけられた状態が示されている。
そして、リーダライタ１１は、手荷物８の側面から遠ざけられた状態にある手荷物用ＲＦＩＤタグ１の通信用アンテナ４と通信を行えるようにシステム化されている。
【００２０】
このように、本発明の手荷物用ＲＦＩＤタグの通信方法では、タグリーダライタ１１により、手荷物用ＲＦＩＤタグ１に記憶されている情報の読み取り処理、又は前記手荷物用ＲＦＩＤタグへの情報の書き込み処理を行う際に、その手荷物８の側面からループ状に垂れ下げられた手荷物用ＲＦＩＤタグ１の端部側を舞い上げて遠ざける処理を行うことで、リーダライタ１１による通信不良を解消できるようにしてある。
【００２１】
また、図６には、吸引装置１４による吸引を受けた手荷物８に対して、ループ状に添付された手荷物用ＲＦＩＤタグ１が、舞い上げられて、手荷物８の側面から遠ざけられた状態が示されている。
そして、リーダライタ１１は、手荷物８の側面から遠ざけられた状態にある手荷物用ＲＦＩＤタグ１の通信用アンテナ４と通信を行えるようにシステム化されている。
吸引装置１４を用いた場合においても、送風装置１３と同様に、タグリーダライタ１１により、手荷物用ＲＦＩＤタグ１に記憶されている情報の読み取り処理、又は前記手荷物用ＲＦＩＤタグへの情報の書き込み処理を行う際に、その手荷物８の側面からループ状に垂れ下げられた手荷物用ＲＦＩＤタグ１の端部側を遠ざける処理を行うことで、リーダライタ１１による通信不良を解消できるようにしてある。
【００２２】
図７には、ベルトコンベアー１０に載せられた手荷物８に対して、送風する送風装置１３の送風口１３ａの一例が示されている。
図７に示す送風口１３ａは、ベルトコンベアー１０の側面に設けられたダクトを経由して送られてきた風を、ベルトコンベアー１０で搬送されてきた手荷物８に対して、上方へ吹き上げるように構成されいる。
そして、リーダライタ１１は、吹き上げられた状態の手荷物用ＲＦＩＤタグ１に対して、情報の読み取りや情報の書き込みを行えるようにしてある。
【００２３】
以上のように、本発明の手荷物用ＲＦＩＤタグの通信方法では、手荷物が金属性であったり、また手荷物に金属を内蔵している場であっても、タグリーダライタによる読み取り処理や書き込み処理を行う際に、手荷物から手荷物用ＲＦＩＤタグが舞い上げて遠ざけることができるので、確実にそれらの処理を行える。
【図面の簡単な説明】
【００２４】
【図１】本発明の実施形態に係る手荷物用ＲＦＩＤタグの通信方法に使用される手荷物用ＲＦＩＤタグの斜視図である。
【図２】本発明の実施形態に係る手荷物用ＲＦＩＤタグの通信方法に使用される手荷物用ＲＦＩＤタグを、手荷物に添付させた状態を示す斜視図である。
【図３】本発明の実施形態に係る手荷物用ＲＦＩＤタグの通信方法において、手荷物用ＲＦＩＤタグを添付させた手荷物を、ベルトコンベアーに載せて処理するシステム構成の概要を示す図である。
【図４】本発明の実施形態に係る手荷物用ＲＦＩＤタグの通信方法に係り、ベルトコンベアーに載せた際の、手荷物に添付されている手荷物用ＲＦＩＤタグの状態を示す断面図である。
【図５】本発明の実施形態に係る手荷物用ＲＦＩＤタグの通信方法に係り、ベルトコンベアーで搬送され、手荷物に添付されている手荷物用ＲＦＩＤタグに送風した状態を示す断面図である。
【図６】本発明の実施形態に係る手荷物用ＲＦＩＤタグの通信方法に係り、ベルトコンベアーで搬送され、手荷物に添付されている手荷物用ＲＦＩＤタグに吸引した状態を示す断面図である。
【図７】本発明の実施形態に係る手荷物用ＲＦＩＤタグの通信方法に係り、ベルトコンベアーに載せられた手荷物に対して、送風する送風装置の送風口の一例を示す図である。
【符号の説明】
【００２５】
１  手荷物用ＲＦＩＤタグ
２  基材シート
３  ＩＣチップ
４  通信用アンテナ
５  インレット
６  粘着剤層
７  剥離紙
８  手荷物
８ａ  取っ手
９  係員
１０  ベルトコンベアー
１０ａ  他のベルトコンベアー
１１  リーダライタ
１２  センサー
１３  送風装置
１４  吸引装置
１５  管理装置
【図１】
2008299765.tif 000003
【図２】
2008299765.tif 000004
【図３】
2008299765.tif 000005
【図４】
2008299765.tif 000006
【図５】
2008299765.tif 000007
【図６】
2008299765.tif 000008
【図７】
2008299765.tif 000009